(57)【要約】【課題】解錠・施錠の際にショーケース手前のベース板部上に陳列された商品が邪魔にならず、解錠・施錠の作業が楽であって、見た目が良いショーケースを提供する。【解決手段】什器本体１のベース板部１２上に配設されるショーケースＳ１であって、前壁部Ｗ１と上壁部Ｗ２と左側壁部Ｗ３と右側壁部Ｗ４とを備え、前壁部Ｗ１は、ベース板部１２上に立設される複数の前柱部２と、前柱部２の上端部同士を連結する上レール部材６と、上レール部材６に対向してベース板部１２上に配設される下レール部材７と、対向する上レール部材６と下レール部材７との間に配設される引戸セット３とを備え、引戸セット３は２つの引戸体３１から構成され、前側の引戸体３１の上袴部３８にプッシュ錠３４が取着されている。【選択図】図１
0003132864.tif 000002
【実用新案登録請求の範囲】
【請求項１】
左右に間隔を置いて互いに平行に立設された複数の支柱と隣り合う前記支柱間に配設された後壁部とからなる本体壁部と、前記本体壁部の前側に設けられたベース板部と、を備えた什器本体の、前記ベース板部上に配設されるショーケースであって、
前記ベース板部上に前記後壁部と平行をなすように立設される前壁部と、
前記前壁部の上端部と前記本体壁部との間を閉塞する上壁部と、
前記前壁部の左側端部と前記本体壁部との間を閉塞する左側壁部と、
前記前壁部の右側端部と前記本体壁部との間を閉塞する右側壁部と、
を備え、
前記前壁部は、前記ベース板部上に立設される複数の前柱部と、隣り合う前記前柱部の上端部同士を連結する上レール部材と、前記上レール部材に対向して前記ベース板部上に配設される下レール部材と、対向する前記上レール部材と前記下レール部材との間に配設される引戸セットと、を備え、
前記引戸セットは、２つの引戸体から構成され、
前記各引戸体は、有機ガラス製又は無機ガラス製の板部と、前記板部の下端部が嵌合されるとともに前記下レール部材に嵌合される下袴部と、前記板部の上端部が嵌合されるとともに前記上レール部材に嵌合される上袴部とを備え、
前記引戸セットをなす２つの前記引戸体のうち、前側に配置される前記引戸体の前記上袴部に、プッシュ錠が取着されている
ことを特徴とするショーケース。
【請求項２】
前記上レール部材は、左右の両端部が前記前柱部に着脱可能とされていることを特徴とする請求項１記載のショーケース。
【考案の詳細な説明】
【技術分野】
【０００１】
本考案は、什器本体に取着されるショーケースに関し、特に、錠が取着された引戸を備えるショーケースに関する。
【背景技術】
【０００２】
従来から、一般にゴンドラ什器と呼ばれるスチール製の什器本体のベース板部上にショーケースを配設して、そのショーケース内及びショーケース手前のベース板部上に商品を陳列することが行われている。そして、かかるショーケースの前壁部に設けられた引戸に、盗難防止のために錠を取着する場合は、引戸の下端部に設けられた袴部にプッシュ錠（下記特許文献２参照）を取着したり、あるいは、図６に示すように、引戸のガラス板部分に、スライドロックとも呼ばれるシリンダー錠１００を取着したりしていた。このシリンダー錠１００は、図７に示すように、ガラス板部分の端部の任意位置に、螺子１０１で取り付け可能であり、解錠時には錠本体１０２をスライド板部１０３から抜脱するものである。
【０００３】
なお、従来の棚板を含む什器本体の構造が記載されたものに、出願人により出願された下記特許文献１がある。また、引き違い戸用プッシュ錠（プッシュロック）について記載されたものに、下記特許文献２がある。
【特許文献１】登録実用新案第３０４６０３１号公報（図１、図２）
【特許文献２】特開２００３−１３８８２２号公報
【考案の開示】
【考案が解決しようとする課題】
【０００４】
しかし、引戸の下端部の袴部にプッシュ錠を取着した場合には、プッシュ錠の位置が什器本体のベース板部に近いため、解錠・施錠の際に、ショーケース手前のベース板部上に陳列された商品が邪魔になってしまうという問題があった。また、しゃがんで解錠・施錠を行わなければならないため、作業がつらいという問題もあった。また、シリンダー錠１００の場合には、使用の間に螺子１０１が緩んで、ずり落ちることがあり、見た目が良くないという問題があった。
【０００５】
この考案は、上述した問題を解決するものであり、解錠・施錠の際にショーケース手前のベース板部上に陳列された商品が邪魔にならず、解錠・施錠の作業が楽であって、見た目が良いショーケースを提供することを目的とする。
【課題を解決するための手段】
【０００６】
本考案のショーケースは、左右に間隔を置いて互いに平行に立設された複数の支柱と隣り合う前記支柱間に配設された後壁部とからなる本体壁部と、前記本体壁部の前側に設けられたベース板部と、を備えた什器本体の、前記ベース板部上に配設されるショーケースであって、前記ベース板部上に前記後壁部と平行をなすように立設される前壁部と、前記前壁部の上端部と前記本体壁部との間を閉塞する上壁部と、前記前壁部の左側端部と前記本体壁部との間を閉塞する左側壁部と、前記前壁部の右側端部と前記本体壁部との間を閉塞する右側壁部と、を備え、前記前壁部は、前記ベース板部上に立設される複数の前柱部と、隣り合う前記前柱部の上端部同士を連結する上レール部材と、前記上レール部材に対向して前記ベース板部上に配設される下レール部材と、対向する前記上レール部材と前記下レール部材との間に配設される引戸セットと、を備え、前記引戸セットは、２つの引戸体から構成され、前記各引戸体は、有機ガラス製又は無機ガラス製の板部と、前記板部の下端部が嵌合されるとともに前記下レール部材に嵌合される下袴部と、前記板部の上端部が嵌合されるとともに前記上レール部材に嵌合される上袴部とを備え、前記引戸セットをなす２つの前記引戸体のうち、前側に配置される前記引戸体の前記上袴部に、プッシュ錠が取着されていることを特徴とする。
【０００７】
ここで、前記上レール部材は、左右の両端部が前記前柱部に着脱可能とされていることが好ましい。
【考案の効果】
【０００８】
本発明のショーケースは、引戸セットをなす２つの引戸体のうち、前側に配置される引戸体の上袴部に、プッシュ錠が取着されているため、解錠・施錠の際にショーケース手前のベース板部上に陳列された商品が邪魔にならず、また、しゃがまなくても解錠・施錠ができるので、解錠・施錠の作業が楽である。さらに、上袴部に取着されたプッシュ錠はずり落ちることが無いのみならず、上袴部と下袴部とでデザインの統一感が生じるので、見た目が良い。
【０００９】
また、上レール部材の左右の両端部を前柱部に着脱可能とすれば、上レール部材の前柱部への取着度合いを適宜緩めることで、上レール部材が前柱部から若干上へ持ち上がるようにできる。このため、引戸体を下レール部材と上レール部材との間に嵌合する際に、プッシュ錠が上レール部材に当って嵌合できないという虞がなくなり、容易に嵌合作業を行える。
【考案を実施するための最良の形態】
【００１０】
以下、本考案の一実施形態を図面に基づいて説明する。
【００１１】
図１は、什器本体１と什器本体１に取着されたショーケースＳ１の斜視図であり、図２は、引戸セット３を除くショーケースＳ１の分解斜視図、すなわち、ショーケースＳ１用のキットの引戸セット３を除く各部材の斜視図である（但し、什器本体１の斜視図を含む）。なお、図２において、各部材を連結するためのビスは、一部しか図示されていない。以下の説明においては、図１に矢印で示すように、什器本体１及びショーケースＳ１に向かって左を左、向かって右を右とする。
【００１２】
什器本体１は、床面に対して垂直に立設された本体壁部１０と、本体壁部１０の前側に床面に対して水平に設けられたベース板部１２とを備えている。本体壁部１０は、左右に間隔を置いて互いに平行に立設された４本の支柱１１と、隣り合う支柱１１、１１間にそれぞれ配設された３つの後壁部１３とから構成されている。
【００１３】
各支柱１１は、スチール製で断面矩形状の角管状に形成されている。各支柱１１の前面には、棚板を取着するための複数の係合孔１５を上下方向に並設した列が、２列設けられている。
【００１４】
ベース板部１２は、３つのスチール製のベース板１６から構成されている。各ベース板１６の両側部は、隣り合う支柱１１、１１の下部に取着されている。最も左のベース板１６の左側、及び、最も右のベース板１６の右側には、それぞれ、サイドカバー１４が取着されている。各ベース板１６の下には、引き出し可能な収納ボックス１８が収納されている。
【００１５】
ショーケースＳ１は、ベース板部１２上に配設されるものであって、ベース板部１２上に各後壁部１３と平行をなすように立設される前壁部Ｗ１と、前壁部Ｗ１の上端部と本体壁部１０との間を閉塞する上壁部Ｗ２と、前壁部Ｗ１の左側端部と本体壁部１０との間を閉塞する左側壁部Ｗ３と、前壁部Ｗ１の右側端部と本体壁部１０との間を閉塞する右側壁部Ｗ４と、を備えている。そして、本体壁部１０、ベース板部１２、前壁部Ｗ１、上壁部Ｗ２、左側壁部Ｗ３、及び、右側壁部Ｗ４で囲まれた内部が、商品等を収納する収納室となる。
【００１６】
前壁部Ｗ１は、ベース板部１２上に立設された４つの前柱部２と、隣り合う前柱部２、２の上端部同士を連結する３つの上レール部材６と、各上レール部材６に対向してベース板部１２上にそれぞれ配設された３つの下レール部材７と、対向する上レール部材６と下レール部材７との間にそれぞれ配設された３つの引戸セット３とから構成されている。
【００１７】
４つの前柱部２のうち、最も左の前柱部２及び最も右の前柱部２は、それぞれ、１つの前柱２１からなり、最も左の前柱部２と最も右の前柱部２との間の前柱部２は、それぞれ、２つの前柱２１からなる。各前柱２１は、図２に示すように、側面視において略コ字形状をなす側枠２０の前部に相当する。
【００１８】
各側枠２０は、前柱２１と、前柱２１の上端部から後方に延設された上連結部材２２と、前柱２１の下端部から後方に延設された下連結部材２３とからなる。前柱２１と上連結部材２２と下連結部材２３とは、いずれもスチール製で断面矩形状の角管状に形成されている。各前柱２１の前面には、棚板を取着するための複数の係合孔２４が上下方向に並設されている。そして、各側枠２０は、左右を反転させることにより支柱１１の左半分と右半分とのいずれにも取着可能であり、１つの支柱１１の左半分と右半分とに並設可能に構成されている。
【００１９】
かかる側枠２０は２つずつ対にされて、一対の側枠２０、２０のうち、一方の側枠２０は、隣り合う支柱１１、１１のうちの左の支柱１１の右半分に、他方の側枠２０は、同隣り合う支柱１１、１１のうちの右の支柱１１の左半分に取着される。以下、区別が必要なときは、隣り合う支柱１１、１１に取着された一対の側枠２０、２０のうち、左の支柱１１の右半分に取着された側枠２０を左側側枠２０ａ、右の支柱１１の左半分に取着された側枠２０を右側側枠２０ｂと表記する。
【００２０】
各上レール部材６は、スチール製で、下面に、引戸体３１を嵌合して摺動させることが可能な２本の溝状のレール部が、互いに平行に前後に並設されている。そして、各上レール部材６は、左端部が左側側枠２０ａの前柱２１の上端部に連結され、その左側側枠２０ａと対になる右側側枠２０ｂの前柱２１の上端部に、右端部が連結されている。各上レール部材６の左右両端部の前柱２１への連結は、ビス止めで行われる。このため、各上レール部材６は、左右の両端部が前柱２１延いては前柱部２に着脱可能である。
【００２１】
各下レール部材７は、スチール製で、上面に、引戸体３１を嵌合して摺動させることが可能な２本の溝状のレール部が、互いに平行に前後に並設されている。そして、各下レール部材７は、左端部が左側側枠２０ａの前柱２１の下端部に連結され、その左側側枠２０ａと対になる右側側枠２０ｂの前柱２１の下端部に、右端部が連結されている。
【００２２】
各引戸セット３は、図３に示すように、２枚の引戸体３１から構成されている。各引戸体３１は、透明の有機ガラス製の板部３７と、板部３７の左右両側部に取着されたアルミ製の縦枠３３、３３と、板部３７の下端部が嵌合されたアルミ製の下袴部３２と、板部３７の上端部が嵌合されたアルミ製の上袴部３８とから構成されている。板部３７には、把手の代わりに指を掛けるための孔３５が２つずつ穿設されている。なお、上袴部３８は、下袴部３２と同じ部材を転用したものである。
【００２３】
有機ガラスとは、無機ガラスの代用にされる合成樹脂を言い（岩波理化学辞典（第５版）参照）、ポリメタクリル酸メチル等のアクリル樹脂、ポリスチレン、ポリ塩化ビニル、ポリエステル、ポリプロピレン、ポリカーボネート等がある。本実施形態ではアクリル樹脂を用いる。
【００２４】
下袴部３２及び上袴部３８は、断面がＨ字形状をなすように上向きの溝と下向きの溝とを有しており、下袴部３２の上向きの溝には板部３７の下端部が嵌合され、下袴部３２の下向きの溝には袴車（戸車）が取着され、上袴部３８の下向きの溝には板部３７の上端部が嵌合される。
【００２５】
そして、各引戸セット３において、一方の引戸体３１は、下袴部３２が下レール部材７の後側のレール部に、上袴部３８が上レール部材６の後側のレール部に嵌合され、他方の引戸体３１は、下袴部３２が下レール部材７の前側のレール部に、上袴部３８が上レール部材６の前側のレール部に嵌合されて、２つの引戸体３１が前後に配設されることになる。このとき、前側となる引戸体３１を、以下、前側引戸体３１ｂとも表記し、後側となる引戸体３１を、以下、後側引戸体３１ａとも表記する。
【００２６】
前側引戸体３１ｂの上袴部３８には、錠３４が取着されている。錠３４は、上記特許文献２の図５に記載されているものと同様のプッシュ錠（プッシュロック）であり、図４（ａ）に示すように、上袴部３８に固着された固定ケース３４ａ内に、回転可能かつ前後方向に移動可能にロックシリンダー３４ｂが収容されている。そして、施錠時には、図４（ｂ）に示すように、ロックシリンダー３４ｂの後端部のロック軸部３４ｃが、後側引戸体３１ａの上袴部３８に設けられた孔３８ａ内に突出して、前側引戸体３１ｂ及び後側引戸体３１ａの左右の移動を不可能とし、解錠時には、図４（ｂ）の２点鎖線に示すようにロックシリンダー３４ｂが前方に移動して、それと共にロック軸部３４ｃが前方に移動して孔３８ａから抜脱し、前側引戸体３１ｂ及び後側引戸体３１ａの左右の移動を可能とするものである。
【００２７】
上壁部Ｗ２は、３つの天板５から構成されている。各天板５は、有機ガラス製（本実施形態ではアクリル樹脂製）で、隣り合う支柱１１、１１間に配設された後壁部１３と、それらの支柱１１、１１のうちの、左の支柱１１に取着された左側側枠２０ａの上連結部材２２と、右の支柱１１に取着された右側側枠２０ｂの上連結部材２２と、それら左側側枠２０ａ、右側側枠２０ｂの前柱２１同士を連結する上レール部材６とで囲まれた上方開口部を閉塞している。
【００２８】
左側壁部Ｗ３は、最も左の側枠２０の上連結部材２２及び下連結部材２３と、それら上連結部材２２と下連結部材２３との間に配設された側板４とから構成されている。右側壁部Ｗ４は、最も右の側枠２０の上連結部材２２及び下連結部材２３と、それら上連結部材２２と下連結部材２３との間に配設された側板４とから構成されている。すなわち、ショーケースＳ１は、２つの側板４を備えており、各側板４は、いずれも、透明の有機ガラス製（本実施形態ではアクリル樹脂製）の矩形板状をなしている。そして、一方の側板４は、最も左の側枠２０に取着されて、その側枠２０とその側枠２０が取着された支柱（すなわち、最も左の支柱）１１とで囲まれた矩形状の左方開口部を閉塞し、他方の側板４は、最も右の側枠２０に取着されて、その側枠２０とその側枠２０が取着された支柱（すなわち、最も右の支柱）１１とで囲まれた矩形状の右方開口部を閉塞している。
【００２９】
以上のように構成されたショーケースＳ１を組み立てる場合には、図２に示すように、各下レール部材７をベース板部１２上の所定位置にビスで取着し、各下レール部材７の両端部にそれぞれ側枠２０の前柱２１を立設しつつ、側枠２０を支柱１１に取着する。なお、最も左の支柱１１には、予め側板４を取着しておいた側枠２０を、右半分に１つだけ取着し、最も右の支柱１１には、予め側板４を取着しておいた側枠２０を、左半分に１つだけ取着し、最も左の支柱１１と最も右の支柱１１との間の支柱１１には、左半分と右半分とにそれぞれ側枠２０を取着する。
【００３０】
そして、左側側枠２０ａの前柱２１の上端部に、上レール部材６の左側端部を、その左側側枠２０ａと対になる右側側枠２０ｂの前柱２１の上端部に、上レール部材６の右側端部を、それぞれビスで取着することにより、各下レール部材７と対向するように各上レール部材６を配設する。
【００３１】
次に、各引戸セット３を、対向する上レール部材６と下レール部材７との間に配設するが、このとき、まず、後側引戸体３１ａの上端部を上レール部材６の後側のレール部に嵌合して、その後側引戸体３１ａを上に少し持ち上げつつ、下端部を下レール部材７の後側のレール部に嵌合する。そして、後側引戸体３１ａを右側に寄せた後、上レール部材６の左端部を前柱２１に取着しているビスを緩めて、上レール部材６の左側部が前柱２１から若干上へ持ち上がるようにする。なお、後側引戸体３１ａを右側に寄せるのは、上記のようにビスを緩めた際に、後側引戸体３１ａが外れるのを防止するためである。
【００３２】
そして、前側引戸体３１ｂの上端部を、上レール部材６の左側部の前側のレール部に嵌合して、その前側引戸体３１ｂを上に少し持ち上げつつ、下端部を下レール部材７の前側のレール部に嵌合すれば、上レール部材６の左側部は若干上へ持ち上がるので、プッシュ錠３４が上レール部材６に当って前側引戸体３１ｂを上に持ち上げることができないために前側引戸体３１ｂが嵌合できないという虞なく、容易に嵌合作業を行える。
【００３３】
さらに、左側側枠２０ａの上連結部材２２に、天板５の左側部を、その左側側枠２０ａと対になる右側側枠２０ｂの上連結部材２２に、天板５の右側部を、それぞれビスで取着することにより、各天板５を側枠２０に取着する。
【００３４】
以上のようにして、図１のようなショーケースＳ１が組立てられ、什器本体１のベース板部１２上に配設される。ショーケースＳ１では、手前のベース板部１２上に商品等を陳列することもできる。このとき、ショーケースＳ１では、錠３４が前側引戸体３１ａの上袴部３８に取着されているため、解錠・施錠の際にショーケースＳ１手前のベース板部１２上に陳列された商品が邪魔にならず、また、しゃがまなくても解錠・施錠ができるので、解錠・施錠の作業が楽である。さらに、錠３４は、固定ケース３４ａが上袴部３８に固着されたプッシュ錠であるため、ずり落ちることが無いのみならず、上袴部３８と下袴部３２とでデザインの統一感が生じるので、見た目が良く、意匠性にも優れている。
【００３５】
また、デザイン上の理由等から上袴部３８の上下方向の幅を小さいものとした場合も、上述したように、前側引戸体３１ｂの嵌合時に上レール部材６の取着度合いを適宜緩めることで、上レール部材６が前柱部２から若干上へ持ち上がるようにすれば、錠３４が上レール部材６に当って嵌合できないという虞がなくなり、容易に嵌合作業を行える。
【００３６】
なお、本実施形態では、各側枠２０の左右方向の幅を支柱１１の半分として、１本の支柱１１に各側枠２０を２つ取着可能としたが、図５に示すように、各側枠２０の左右方向の幅を支柱１１と同じとして、支柱１１には側枠２０を１つのみ取着可能とし、各前柱部２を１つの前柱２１からなるように構成してもよい。図５においては、図１に示す構成要素に対応する構成要素には、図１と同じ符号を用いている。
【００３７】
また、板部３７や側板４を、アクリル樹脂以外の有機ガラス製としたり、無機ガラス製としたりしてもよい。
【００３８】
すなわち、実用新案登録請求の範囲を逸脱しない範囲で、本考案は種々の構成を採り得る。
【図面の簡単な説明】
【００３９】
【図１】本考案の一実施形態に係る什器本体とその什器本体に取着されたショーケースの斜視図である。
【図２】図１においてショーケースを分解したときの引戸セットを除く斜視図である。
【図３】引戸セットを構成する引戸体の斜視図である。
【図４】（ａ）はプッシュ錠が取着された上袴部の要部斜視図、（ｂ）はプッシュ錠が取着され施錠された状態の上袴部の要部断面図である。
【図５】他の実施形態に係る什器本体とその什器本体に取着されたショーケースの要部斜視図である。
【図６】シリンダー錠が取着された従来のショーケースの斜視図である。
【図７】図６のシリンダー錠の取着部位の要部断面図である。
【符号の説明】
【００４０】
１…什器本体
２…前柱部
３…引戸セット
６…上レール部材
７…下レール部材
１０…本体壁部
１１…支柱
１２…ベース板部
１３…後壁部
３１…引戸体
３７…板部
３２…下袴部
３４…プッシュ錠
３８…上袴部
Ｗ１…前壁部
Ｗ２…上壁部
Ｗ３…左側壁部
Ｗ４…右側壁部
Ｓ１…ショーケース                                                                            
【図１】
0003132864.tif 000003
【図２】
0003132864.tif 000004
【図３】
0003132864.tif 000005
【図４】
0003132864.tif 000006
【図５】
0003132864.tif 000007
【図６】
0003132864.tif 000008
【図７】
0003132864.tif 000009